Podtech/llm-jp-corpus-v4-ja_patent huggingface dataset:
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
遊技者に対し、前記操作手段の操作を促す操作演出を実行することが可能な演出実行手段と、
を備え、
前記操作手段として、第一操作手段および第二操作手段が設けられており、
前記操作演出として、前記第一操作手段の操作を促す第一操作演出、および前記第二操作手段の操作を促す第二操作演出が実行可能であるとともに、前記第一操作演出が発生する頻度よりも前記第二操作演出が発生する頻度の方が低くなるように設定されており、
対象の当否判定結果を報知する一連の報知演出中において、当該対象の当否判定結果が当たりとなるものであるとき、前記第二操作演出が実行されていない最中に前記第二操作手段が操作されることを契機として、当たりが確定することを示す確定演出を発生させる確定演出機能を有することを特徴とする遊技機。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と
を備え、
所定の状況にて、電源の供給が遮断される事象が発生した時から、当該電源の供給が遮断される事象を検知し、電源断処理を実行する時までの期間の設計値をＴ１とし、
所定の状況にて、遊技メダル投入口から遊技メダルが投入される場合における、当該遊技メダルを検知手段Ａが検知した後に当該遊技メダルを当該検知手段Ａが検知しなくなる時から、当該遊技メダルを検知手段Ｂが検知する時までの期間の設計値をＴ２としたとき、
Ｔ１＜Ｔ２となっている遊技機。
【手続補正２】
【補正対象書類名】明細書
【補正対象項目名】０００５
【補正方法】変更
【補正の内容】
【０００５】
本態様に係る遊技機は、
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と
を備え、
所定の状況にて、電源の供給が遮断される事象が発生した時から、当該電源の供給が遮断される事象を検知し、電源断処理を実行する時までの期間の設計値をＴ１とし、
所定の状況にて、遊技メダル投入口から遊技メダルが投入される場合における、当該遊技メダルを検知手段Ａが検知した後に当該遊技メダルを当該検知手段Ａが検知しなくなる時から、当該遊技メダルを検知手段Ｂが検知する時までの期間の設計値をＴ２としたとき、
Ｔ１＜Ｔ２となっている遊技機である。
＜付記＞
尚、本態様とは異なる別態様について以下に列記しておくが、これらには何ら限定されることなく実施することが可能である。
本別態様に係る遊技機は、
所定条件を満たすと打ち止め機能が有効となるよう構成されており、
打ち止め機能が有効であるときに特定条件を満たすと遊技の進行を停止する打ち止め処理を実行可能に構成されており、
複数種類の特定条件候補の中から少なくとも１つの特定条件候補を前記特定条件として設定可能であるよう構成されており、
前記特定条件候補として、所定の期間において獲得した遊技媒体数が所定数以上となったことを有しており、
前記特定条件として、所定の期間において獲得した遊技媒体数が所定数以上となったことを設定している状況下において、ある遊技が実行された後、所定の遊技状態であり且つ当該特定条件を満たした場合には、打ち止め処理を実行しないよう構成されている
ことを特徴とする遊技機である。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
受信した情報にもとづいて処理を実行可能であり、複数の電子部品を制御可能な制御手段と、
遊技機に対する電力供給が停止しても記憶内容を保持可能であり、前記複数の電子部品に関する情報を記憶可能な記憶手段と、
前記制御手段と前記記憶手段とを接続する接続配線と、
前記制御手段と前記記憶手段との接続状態を確認可能な接続確認用配線と、
前記記憶手段の記憶内容を特定可能な情報を出力可能な出力手段と、を備え、
前記制御手段は、
書込条件が成立した場合に、情報を前記記憶手段に書き込む書込処理を実行可能であり、
第１発生条件に対応した第１情報を書き込む場合に、複数の記憶領域に同一の情報を記憶させ、
第２発生条件に対応した第２情報を書き込む場合に、前記複数の記憶領域よりも少ない記憶領域に情報を記憶させ、
受信した情報が特定の組合せであった場合に、前記記憶手段の検査処理を実行可能であり、
受信した情報の組み合わせの種類に応じて、異なる検査処理を実行可能であり、
該検査処理として前記記憶手段の記憶内容を特定可能な情報を前記出力手段から出力する、
ことを特徴とする遊技機。
【手続補正２】
【補正対象書類名】明細書
【補正対象項目名】０００６
【補正方法】変更
【補正の内容】
【０００６】
（Ａ）上記目的を達成するために、本願の請求項に係る遊技機は、
遊技を行うことが可能な遊技機であって、
受信した情報にもとづいて処理を実行可能であり、複数の電子部品を制御可能な制御手段と、
遊技機に対する電力供給が停止しても記憶内容を保持可能であり、前記複数の電子部品に関する情報を記憶可能な記憶手段と、
前記制御手段と前記記憶手段とを接続する接続配線と、
前記制御手段と前記記憶手段との接続状態を確認可能な接続確認用配線と、
前記記憶手段の記憶内容を特定可能な情報を出力可能な出力手段と、を備え、
前記制御手段は、
書込条件が成立した場合に、情報を前記記憶手段に書き込む書込処理を実行可能であり、
第１発生条件に対応した第１情報を書き込む場合に、複数の記憶領域に同一の情報を記憶させ、
第２発生条件に対応した第２情報を書き込む場合に、前記複数の記憶領域よりも少ない記憶領域に情報を記憶させ、
受信した情報が特定の組合せであった場合に、前記記憶手段の検査処理を実行可能であり、
受信した情報の組み合わせの種類に応じて、異なる検査処理を実行可能であり、
該検査処理として前記記憶手段の記憶内容を特定可能な情報を前記出力手段から出力する。
このような構成においては、情報を適切に管理可能となる。
（１）上記目的を達成するために、他の態様に係る遊技機は、遊技を行うことが可能な遊技機（例えばパチンコ遊技機１など）であって、複数の電子部品を制御可能な制御手段（例えば演出制御用マイクロコンピュータ１２０など）と、遊技機に対する電力供給が停止しても記憶内容を保持可能であり、前記複数の電子部品に関する情報を記憶可能な記憶手段（例えばバックアップデータメモリ２１０Ａ〜２１０Ｄなど）と、前記制御手段と前記記憶手段とを接続する接続配線（例えばコネクタ１５４の端子ＴＭ０３、ＴＭ０４およびコネクタ２２０の端子ＴＭ１３、ＴＭ１４に接続された配線など）と、前記制御手段と前記記憶手段との接続状態を確認可能な接続確認用配線（例えばコネクタ１５４の端子ＴＭ０１、ＴＭ０２およびコネクタ２２０の端子ＴＭ１１、ＴＭ１２に接続された配線など）とを備える。
このような構成においては、情報を適切に管理可能となる。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
演算機能を備えた所定のＩＣと、
所定の制御基板と、
所定の制御基板を収容する基板ケースと、
ＭＡＸベットランプと、
２ベットランプと、
３ベットランプと、
遊技媒体数記憶手段と
を備え、
遊技媒体数記憶手段に「３」以上の所定の値が記憶されており、且つベット数として「３」が設定されていないときにＭＡＸベットランプが少なくとも点灯可能であり、
ベット数として「２」が設定されているときに２ベットランプが少なくとも点灯可能であり、
ベット数として「３」が設定されているときに３ベットランプが少なくとも点灯可能であり、
ＭＡＸベットランプは点灯しており、３ベットランプは消灯しており、且つ２ベットランプは点灯している所定の状況において、ベット数として「１」が新たにベットされたときは、ＭＡＸベットランプが消灯した後に３ベットランプが点灯し、
基板ケースは上カバーと下カバーとから構成されており、
上カバーの或る面には、上カバーの成型時のゲート跡を有し、
所定の制御基板の一方の面には所定のＩＣが搭載されており、
基板ケースに所定の制御基板が収容されている状態では、上カバーを介して所定のＩＣが視認可能となっており、
上カバーの或る面における所定のＩＣとの垂直方向に重なる範囲には、ゲート跡を有さないよう構成されている
遊技機。
【手続補正２】
【補正対象書類名】明細書
【補正対象項目名】０００５
【補正方法】変更
【補正の内容】
【０００５】
本態様に係る遊技機は、
演算機能を備えた所定のＩＣと、
所定の制御基板と、
所定の制御基板を収容する基板ケースと、
ＭＡＸベットランプと、
２ベットランプと、
３ベットランプと、
遊技媒体数記憶手段と
を備え、
遊技媒体数記憶手段に「３」以上の所定の値が記憶されており、且つベット数として「３」が設定されていないときにＭＡＸベットランプが少なくとも点灯可能であり、
ベット数として「２」が設定されているときに２ベットランプが少なくとも点灯可能であり、
ベット数として「３」が設定されているときに３ベットランプが少なくとも点灯可能であり、
ＭＡＸベットランプは点灯しており、３ベットランプは消灯しており、且つ２ベットランプは点灯している所定の状況において、ベット数として「１」が新たにベットされたときは、ＭＡＸベットランプが消灯した後に３ベットランプが点灯し、
基板ケースは上カバーと下カバーとから構成されており、
上カバーの或る面には、上カバーの成型時のゲート跡を有し、
所定の制御基板の一方の面には所定のＩＣが搭載されており、
基板ケースに所定の制御基板が収容されている状態では、上カバーを介して所定のＩＣが視認可能となっており、
上カバーの或る面における所定のＩＣとの垂直方向に重なる範囲には、ゲート跡を有さないよう構成されている
遊技機である。
＜付記＞
尚、本態様とは異なる別態様について以下に列記しておくが、これらには何ら限定されることなく実施することが可能である。
本別態様に係る遊技機は、
所定条件Ａを満たすと打ち止め機能が有効となるよう構成されており、
所定条件Ｂを満たすと自動精算機能が有効となるよう構成されており、
打ち止め機能が有効であるときに特定条件Ａを満たすと遊技の進行を停止する打ち止め処理を実行可能に構成されており、
自動精算機能が有効であるときに特定条件Ｂを満たすと自動精算処理を実行可能に構成されており、
複数種類の特定条件Ａ候補の中から少なくとも１つの特定条件Ａ候補を前記特定条件Ａとして設定可能であるよう構成されており、
複数種類の特定条件Ｂ候補の中から少なくとも１つの特定条件Ｂ候補を前記特定条件Ｂとして設定可能であるよう構成されており、
前記特定条件Ａ候補と前記特定条件Ｂ候補とは、少なくとも１つが同一であり、
前記特定条件Ａと前記特定条件Ｂとは異なる条件を設定可能であるよう構成されている
ことを特徴とする遊技機である。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
精算スイッチと、
ＭＡＸベットランプと、
１ベットランプと、
２ベットランプと、
３ベットランプと、
内部抽せん手段と、
遊技媒体数記憶手段と、
遊技媒体数表示手段と
を備え、
遊技媒体数表示手段は、遊技媒体数記憶手段に記憶されている遊技媒体数を表示可能であり、
遊技媒体数記憶手段に「３」以上の所定の値が記憶されており、且つベット数として「３」が設定されていないときにＭＡＸベットランプが少なくとも点灯可能であり、
ベット数として「２」が設定されているときに２ベットランプが少なくとも点灯可能であり、
ベット数として「３」が設定されているときに３ベットランプが少なくとも点灯可能であり、
ＭＡＸベットランプは点灯しており、３ベットランプは消灯しており、且つ２ベットランプは点灯している所定の状況において、ベット数として「１」が新たにベットされたときは、ＭＡＸベットランプが消灯した後に３ベットランプが点灯し、
内部抽せん手段により所定の結果が決定された遊技では、停止操作が受け付けられたことに基づいて、所定図柄組合せが停止され得るよう構成されており、
所定図柄組合せが停止された場合は、所定図柄組合せに対応した数の遊技媒体が付与され得るよう構成されており、
内部抽せん手段により所定の結果が決定された遊技の次回の遊技を実行するためのベット数として「３」が設定されており、遊技媒体数表示手段に所定数が表示されている状況下では、１ベットランプは点灯しており、２ベットランプは点灯しており、３ベットランプは点灯しており、その後精算スイッチが操作されて精算処理を実行するときは、３ベットランプと２ベットランプと１ベットランプとを消灯した後、遊技媒体数表示手段の表示が更新され得るよう構成されている
遊技機。
【手続補正２】
【補正対象書類名】明細書
【補正対象項目名】０００５
【補正方法】変更
【補正の内容】
【０００５】
本態様に係る遊技機は、
精算スイッチと、
ＭＡＸベットランプと、
１ベットランプと、
２ベットランプと、
３ベットランプと、
内部抽せん手段と、
遊技媒体数記憶手段と、
遊技媒体数表示手段と
を備え、
遊技媒体数表示手段は、遊技媒体数記憶手段に記憶されている遊技媒体数を表示可能であり、
遊技媒体数記憶手段に「３」以上の所定の値が記憶されており、且つベット数として「３」が設定されていないときにＭＡＸベットランプが少なくとも点灯可能であり、
ベット数として「２」が設定されているときに２ベットランプが少なくとも点灯可能であり、
ベット数として「３」が設定されているときに３ベットランプが少なくとも点灯可能であり、
ＭＡＸベットランプは点灯しており、３ベットランプは消灯しており、且つ２ベットランプは点灯している所定の状況において、ベット数として「１」が新たにベットされたときは、ＭＡＸベットランプが消灯した後に３ベットランプが点灯し、
内部抽せん手段により所定の結果が決定された遊技では、停止操作が受け付けられたことに基づいて、所定図柄組合せが停止され得るよう構成されており、
所定図柄組合せが停止された場合は、所定図柄組合せに対応した数の遊技媒体が付与され得るよう構成されており、
内部抽せん手段により所定の結果が決定された遊技の次回の遊技を実行するためのベット数として「３」が設定されており、遊技媒体数表示手段に所定数が表示されている状況下では、１ベットランプは点灯しており、２ベットランプは点灯しており、３ベットランプは点灯しており、その後精算スイッチが操作されて精算処理を実行するときは、３ベットランプと２ベットランプと１ベットランプとを消灯した後、遊技媒体数表示手段の表示が更新され得るよう構成されている
遊技機である。
＜付記＞
尚、本態様とは異なる別態様について以下に列記しておくが、これらには何ら限定されることなく実施することが可能である。
本別態様に係る遊技機は、
所定条件を満たすと打ち止め機能が有効となるよう構成されており、
打ち止め機能が有効であるときに特定条件を満たすと遊技の進行を停止する打ち止め処理を実行可能に構成されており、
打ち止め処理を実行して遊技の進行を停止しているときであっても、所定のエラーに係る判定処理は実行可能であるよう構成されている
ことを特徴とする遊技機である。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
接地部に接地された系統電源から供給される交流を直流に変換する第１変換装置と、
前記第１変換装置から供給される直流を交流に変換する第２変換装置と、
前記第２変換装置から供給される交流を非接触で伝送する送電コイルと、
前記第１変換装置と前記第２変換装置とを接続する一対の直流電力線と、
前記一対の直流電力線の差分電流を検出する零相変流器と、
前記零相変流器によって検出された前記差分電流を用いて前記送電コイルの地絡の有無を判定する制御装置とを備える、非接触送電装置。
【請求項２】
前記零相変流器は、前記一対の直流電力線における前記第１変換装置と前記第２変換装置との間に設けられる、請求項１に記載の非接触送電装置。
【請求項３】
前記一対の直流電力線には、前記零相変流器と前記第１変換装置との間に、ノイズフィルタ用コンデンサが接続されている、請求項１に記載の非接触送電装置。
【手続補正書】
【提出日】令和3年7月19日(2021.7.19)
【手続補正１】
【補正対象書類名】明細書
【補正対象項目名】００２１
【補正方法】変更
【補正の内容】
【００２１】
ここで、図３を参照しながら、シリアルインターフェースプロトコルについて説明する。送信側であるＣＰＵ１０３は、まず、チップセレクト信号ＣＳをＨｉｇｈからＬｏｗに下げシリアルデータ受信部１０２をアクティブにする。次に、２０ＭＨｚのクロック信号ＣＬＫを２０パルス出力すると同時に、パルスに同期してデータ信号ＤＴをＭＳＢ（最上位ビット）からＬＳＢ（最下位ビット）まで１ビットずつ順番に出力する。これに対しシリアルデータ受信部１０２は、クロック信号ＣＬＫの立ち下がりエッジのタイミングでデータ信号ＤＴをラッチしてＭＳＢからＬＳＢまで２０ビットのデータを取り込む。さらにシリアルデータ受信部１０２は、受信したデータに対して後述するパリティチェックを行い、パリティチェックをパスした場合、データ信号ＤＴに含まれるアドレスをデコードし、指定されたレジスタにデータを書き込む。
【手続補正２】
【補正対象書類名】明細書
【補正対象項目名】００２６
【補正方法】変更
【補正の内容】
【００２６】
図５（ａ）、（ｂ）に、パリティチェック用データの生成方法とそれを用いたデータチェック方法とを説明する図を示す。まず、ＣＰＵ１０３は、レジスタ３１１〜３１５のｂ４〜ｂ１９に書き込まれる１６ビットのデータに対して図５（ａ）に示す処理を行い、レジスタ３１１〜３１５のｂ０〜ｂ３に書き込まれる４ビットのパリティチェック用データ（パリティビット）を生成する。すなわち、ｂ１６とｂ１２とｂ８とｂ４との排他的論理和をｂ０とし、ｂ１７とｂ１３とｂ９とｂ５との排他的論理和をｂ１とする。同様に、ｂ１８とｂ１４とｂ１０とｂ６との排他的論理和をｂ２とし、ｂ１９とｂ１５とｂ１１とｂ７との排他的論理和をｂ３とする。ＣＰＵ１０３は、このようにしてチェック用データを生成し、シリアルデータ受信部１０２を介してレジスタ３１１〜３１５のｂ０〜ｂ３に制御信号生成部１０１に転送する。
【手続補正３】
【補正対象書類名】明細書
【補正対象項目名】００２７
【補正方法】変更
【補正の内容】
【００２７】
次に、制御信号生成部１０１は、受信した２０ビットのデータ信号ＤＴに対して図５（ｂ）に示す処理を行い、パリティチェックを行う。すなわち、ｂ１６とｂ１２とｂ８とｂ４とｂ０との排他的論理和をａ０とし、ｂ１７とｂ１３とｂ９とｂ５とｂ１との排他的論理和をａ１とする。同様に、ｂ１８とｂ１４とｂ１０とｂ６とｂ２との排他的論理和をａ２とし、ｂ１９とｂ１５とｂ１１とｂ７とｂ３との排他的論理和をａ３とする。更に、それら４つの演算結果ａ０〜ａ３に対して排他的論理和をとる。そしてその結果が０のときにはパリティチェックパスであり、転送されたｂ０〜ｂ１９のデータ信号ＤＴをアドレスにより指定されたレジスタに格納する。一方、ａ０〜ａ３の排他的論理和が１のときにはパリティチェックフェイルであり、転送されたｂ０〜ｂ１９のデータ信号ＤＴを破棄し、レジスタには格納しない。
【手続補正４】
【補正対象書類名】明細書
【補正対象項目名】００３０
【補正方法】変更
【補正の内容】
【００３０】
次に、制御信号生成部１０１は、図２に示すように、上記レジスタ３０１〜３０４、３１１〜３１５に格納されたデータに基づき、Ｅｎａｂｌｅ信号ＥＮＡ〜ＥＮＤ及びＰｈａｓｅ信号ＰＨＡ〜ＰＨＤを生成し、Ｈブリッジ制御回路１０５に出力する。
【手続補正５】
【補正対象書類名】明細書
【補正対象項目名】００３９
【補正方法】変更
【補正の内容】
【００３９】
本発明の実施形態２は、図２に示すモータ駆動回路１１０の内、ＤＣモータを除いて抜き出して半導体集積回路化したモータ駆動回路７１０である。図７にその一例を示す。すなわち、シリアルデータ受信部７０２、制御信号生成部７０１、レジスタ８０１〜８０４、８１１〜８１５、Ｈブリッジ制御部７０５、Ｈブリッジ回路７０６〜７０９を備えたモータ駆動回路である。これらの構成要素の機能及び動作は、図２に記載したものと同様であるため、ここでは説明を省略する。
【手続補正６】
【補正対象書類名】図面
【補正対象項目名】図４
【補正方法】変更
【補正の内容】
【図４】
2020014357.tif 000001
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
各画素が複数の色成分の値を持つ入力データに第１のガンマ変換処理を行うことで、該各画素値が変換された色データを生成し、該生成した色データに基づき、前記複数の色成分の全てに共通な共通指数部データと各色成分の仮数部データとを生成する、第１のガンマ変換処理手段と、
前記各色成分の仮数部データに対し、前記共通指数部データを用いずに、固定小数のマトリクス演算による色変換処理を行い、色変換処理データを生成する色変換処理手段と、
前記共通指数部データを用いて、前記各色成分それぞれの前記色変換処理データを固定小数データに変換する固定小数変換手段と、
前記固定小数データに第２のガンマ変換処理を行うことで、出力データを生成する第２のガンマ変換処理手段と
を有することを特徴とする画像処理装置。
【請求項２】
第１のガンマ変換処理手段は、前記色データの複数の色成分の値のうちの最大値に基づいて、前記共通指数部データを生成することを特徴とする請求項１に記載の画像処理装置。
【請求項３】
前記最大値は、前記色データの画素毎に、又は、該色データにおける複数画素から成る所定領域毎に、導出されることを特徴とする請求項２に記載の画像処理装置。
【請求項４】
前記第１のガンマ変換処理手段は、データを変換するための理論式もしくは該理論式に近似する式に従って、又は、補間処理を実行することで、前記入力データを前記色データに変換することを特徴とする請求項１乃至３の何れか１項に記載の画像処理装置。
【請求項５】
前記色変換処理データに対し、前記共通指数部データを用いた色調整処理を行う色調整処理手段を更に有することを特徴とする請求項１乃至４の何れか１項に記載の画像処理装置。
【請求項６】
前記色調整処理は、階調オフセット処理であることを特徴とする請求項５に記載の画像処理装置。
【請求項７】
前記第１のガンマ変換処理手段は、前記補間処理で用いる仮数部データをテーブルデータとして有し、前記共通指数部データに応じて、前記仮数部データを調整することを特徴とする請求項４に記載の画像処理装置。
【請求項８】
請求項１乃至７の何れか１項に記載の画像処理装置を含む、ＨＤＲ規格に対応した信号規格変換装置。
【請求項９】
各画素が複数の色成分の値を持つ入力データに第１のガンマ変換処理を行うことで、該各画素値が変換された色データを生成し、該生成した色データに基づき、前記複数の色成分の全てに共通な共通指数部データと各色成分の仮数部データとを生成するステップと、
前記各色成分の仮数部データに対し、前記共通指数部データを用いずに、固定小数のマトリクス演算による色変換処理を行い、色変換処理データを生成するステップと、
前記共通指数部データを用いて、前記各色成分それぞれの前記色変換処理データを固定小数データに変換するステップと、
前記固定小数データに第２のガンマ変換処理を行うことで、出力データを生成するステップと
を有することを特徴とする画像処理方法。
【請求項１０】
コンピュータを請求項１乃至請求項７の何れか１項に記載の画像処理装置における各手段として機能させるためのプログラム。
【手続補正２】
【補正対象書類名】明細書
【補正対象項目名】００１０
【補正方法】変更
【補正の内容】
【００１０】
本発明は、各画素が複数の色成分の値を持つ入力データに第１のガンマ変換処理を行うことで、該各画素値が変換された色データを生成し、該生成した色データに基づき、前記複数の色成分の全てに共通な共通指数部データと各色成分の仮数部データとを生成する、第１のガンマ変換処理手段と、前記各色成分の仮数部データに対し、前記共通指数部データを用いずに、固定小数のマトリクス演算による色変換処理を行い、色変換処理データを生成する色変換処理手段と、前記共通指数部データを用いて、前記各色成分それぞれの前記色変換処理データを固定小数データに変換する固定小数変換手段と、前記固定小数データに第２のガンマ変換処理を行うことで、出力データを生成する第２のガンマ変換処理手段とを有することを特徴とする画像処理装置である。
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
初期上りリンク帯域部分（ＵＬ  ＢＷＰ）の設定と、追加のＵＬ  ＢＷＰの設定とを、無線リソース制御（ＲＲＣ）メッセージを介して受信し、物理上りリンク共用チャネル（ＰＵＳＣＨ）をスケジュールする第１の下りリンク制御情報（ＤＣＩ）フォーマットをコモンサーチスペースで受信する受信部と、
アクティブなＵＬ  ＢＷＰにおいて前記ＰＵＳＣＨを送信する送信部と
を備え、
前記初期ＵＬ  ＢＷＰと、前記追加のＵＬ  ＢＷＰとのうち、一つが、前記アクティブなＵＬ  ＢＷＰとしてアクティベートされ、
前記第１のＤＣＩフォーマット内の第１のフィールドのビット幅は、前記初期ＵＬ  ＢＷＰのサイズに基づき決まり、
前記第１のフィールドが示す値は、前記初期ＵＬ  ＢＷＰのサイズと、割り当てられたリソースブロックの開始位置のリソースブロックの番号と、連続的に割り当てられたリソースブロックの数とに基づき、算出され、
前記割り当てられたリソースブロックの番号付けは、前記アクティブなＵＬ  ＢＷＰ内で決定され、かつ、前記アクティブなＵＬ  ＢＷＰの最低リソースブロックから開始される、
端末装置。
【請求項２】
端末装置と通信する基地局装置であって、
初期上りリンク帯域部分（ＵＬ  ＢＷＰ）の設定と、追加のＵＬ  ＢＷＰの設定とを、無線リソース制御（ＲＲＣ）メッセージを介して送信し、物理上りリンク共用チャネル（ＰＵＳＣＨ）をスケジュールする第１の下りリンク制御情報（ＤＣＩ）フォーマットをコモンサーチスペースで送信する送信部と、
アクティブなＵＬ  ＢＷＰにおいて前記ＰＵＳＣＨを受信する受信部と
を備え、
前記初期ＵＬ  ＢＷＰと、前記追加のＵＬ  ＢＷＰとのうち、一つが、前記アクティブなＵＬ  ＢＷＰとしてアクティベートされ、
前記第１のＤＣＩフォーマット内の第１のフィールドのビット幅は、前記初期ＵＬ  ＢＷＰのサイズに基づき決まり、
前記第１のフィールドが示す値は、前記初期ＵＬ  ＢＷＰのサイズと、割り当てられたリソースブロックの開始位置のリソースブロックの番号と、連続的に割り当てられたリソースブロックの数とに基づき、算出され、
前記割り当てられたリソースブロックの番号付けは、前記アクティブなＵＬ  ＢＷＰ内で決定され、かつ、前記アクティブなＵＬ  ＢＷＰの最低リソースブロックから開始される、
基地局装置。
【請求項３】
基地局装置と通信する端末装置の通信方法であって、
初期上りリンク帯域部分（ＵＬ  ＢＷＰ）の設定と、追加のＵＬ  ＢＷＰの設定とを、無線リソース制御（ＲＲＣ）メッセージを介して受信するステップと、
物理上りリンク共用チャネル（ＰＵＳＣＨ）をスケジュールする第１の下りリンク制御情報（ＤＣＩ）フォーマットをコモンサーチスペースで受信するステップと、
アクティブなＵＬ  ＢＷＰにおいて前記ＰＵＳＣＨを送信するステップと
を有し、
前記初期ＵＬ  ＢＷＰと、前記追加のＵＬ  ＢＷＰとのうち、一つが、前記アクティブなＵＬ  ＢＷＰとしてアクティベートされ、
前記第１のＤＣＩフォーマット内の第１のフィールドのビット幅は、前記初期ＵＬ  ＢＷＰのサイズに基づき決まり、
前記第１のフィールドが示す値は、前記初期ＵＬ  ＢＷＰのサイズと、割り当てられたリソースブロックの開始リソースブロックの番号と、連続的に割り当てられたリソースブロックの数とに基づき、算出され、
前記割り当てられたリソースブロックの番号付けは、前記アクティブなＵＬ  ＢＷＰ内で決定され、かつ、前記アクティブなＵＬ  ＢＷＰの最低リソースブロックから開始される、
通信方法。
【請求項４】
端末装置と通信する基地局装置の通信方法であって、
初期上りリンク帯域部分（ＵＬ  ＢＷＰ）の設定と、追加のＵＬ  ＢＷＰの設定とを、無線リソース制御（ＲＲＣ）メッセージを介して送信するステップと、
物理上りリンク共用チャネル（ＰＵＳＣＨ）をスケジュールする第１の下りリンク制御情報（ＤＣＩ）フォーマットをコモンサーチスペースで送信するステップと、
アクティブなＵＬ  ＢＷＰにおいて前記ＰＵＳＣＨを受信するステップと
を有し、
前記初期ＵＬ  ＢＷＰと、前記追加のＵＬ  ＢＷＰとのうち、一つが、前記アクティブなＵＬ  ＢＷＰとしてアクティベートされ、
前記第１のＤＣＩフォーマット内の第１のフィールドのビット幅は、前記初期ＵＬ  ＢＷＰのサイズに基づき決まり、
前記第１のフィールドが示す値は、前記初期ＵＬ  ＢＷＰのサイズと、割り当てられたリソースブロックの開始位置のリソースブロックの番号と、連続的に割り当てられたリソースブロックの数とに基づき、算出され、
前記割り当てられたリソースブロックの番号付けは、前記アクティブなＵＬ  ＢＷＰ内で決定され、かつ、前記アクティブなＵＬ  ＢＷＰの最低リソースブロックから開始される、
通信方法。
【手続補正２】
【補正対象書類名】明細書
【補正対象項目名】発明の名称
【補正方法】変更
【補正の内容】
【発明の名称】基地局装置、端末装置、および、通信方法
【手続補正３】
【補正対象書類名】明細書
【補正対象項目名】０００１
【補正方法】変更
【補正の内容】
【０００１】
本発明は、基地局装置、端末装置、および、通信方法に関する。
【手続補正４】
【補正対象書類名】明細書
【補正対象項目名】０００５
【補正方法】変更
【補正の内容】
【０００５】
本発明の目的は、上記のような無線通信システムにおいて、効率的な通信を可能とする端末装置、基地局装置、および、通信方法を提供することを目的とする。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
第１のイメージセンサを有するレンズ交換可能な撮像装置であって、
前記第１のイメージセンサによる複数回の撮像を行い、得られた複数の画像を合成し合成画像を生成する合成処理を制御する制御手段と、
レンズの着脱を検出する検出手段とを有し、
前記合成処理において、第１のイメージセンサよりもサイズの小さな第２のイメージセンサ用のレンズである第２のレンズを装着して前記合成画像を生成するための第１の画像を得た後に、前記検出手段により前記第１のイメージセンサ用のレンズである第１のレンズへの交換が検出された場合、前記制御手段はレンズの交換前から行っていた前記合成処理を継続して第２の画像の取得を可能とし、
前記制御手段は、前記第１の画像と前記第２の画像とを、前記第２のイメージセンサのサイズに基づくサイズに切り出して取得し合成する
ことを特徴とする撮像装置。
【請求項２】
第１のイメージセンサを有するレンズ交換可能な撮像装置であって、
前記第１のイメージセンサによる複数回の撮像を行い、得られた複数の画像を合成し合成画像を生成する合成処理を制御する制御手段と、
レンズの着脱を検出する検出手段とを有し、
前記合成処理において、第１のイメージセンサよりもサイズの小さな第２のイメージセンサ用のレンズである第２のレンズを装着して前記合成画像を生成するための第１の撮像を行った後に、前記検出手段により前記第１のイメージセンサ用のレンズである第１のレンズへの交換が検出された場合、前記制御手段は前記交換前から行っていた前記合成処理を継続して前記合成画像を生成するための第２の撮像を可能とし、
前記制御手段は、前記第１の撮像の結果得られた第１の画像と前記第２の撮像の結果得られた第２の画像とを合成し、
ここで前記第１の画像と前記第２の画像は、前記第２のイメージセンサのサイズに基づくサイズに切り出されている
ことを特徴とする撮像装置。
【請求項３】
第１のイメージセンサを有するレンズ交換可能な撮像装置の制御方法であって、
前記第１のイメージセンサによる複数回の撮像を行い、得られた複数の画像を合成し合成画像を生成する合成処理を制御する制御工程と、
レンズの着脱を検出する検出工程とを有し、
前記合成処理において、第１のイメージセンサよりもサイズの小さな第２のイメージセンサ用のレンズである第２のレンズを装着して前記合成画像を生成するための第１の画像を得た後に、前記検出工程で前記第１のイメージセンサ用のレンズである第１のレンズへの交換が検出された場合、レンズの交換前から行っていた前記合成処理を継続して第２の画像の取得を可能とし、
前記制御工程では、前記第１の画像と前記第２の画像とを、前記第２のイメージセンサのサイズに基づくサイズに切り出して取得し合成する
ことを特徴とする撮像装置の制御方法。
【請求項４】
第１のイメージセンサを有するレンズ交換可能な撮像装置の制御方法であって、
前記第１のイメージセンサによる複数回の撮像を行い、得られた複数の画像を合成し合成画像を生成する合成処理を制御する制御工程と、
レンズの着脱を検出する検出工程とを有し、
前記合成処理において、第１のイメージセンサよりもサイズの小さな第２のイメージセンサ用のレンズである第２のレンズを装着して前記合成画像を生成するための第１の撮像を行った後に、前記検出工程で前記第１のイメージセンサ用のレンズである第１のレンズへの交換が検出された場合、前記制御工程で前記交換前から行っていた前記合成処理を継続して前記合成画像を生成するための第２の撮像を可能とし、
前記制御工程では、前記第１の撮像の結果得られた第１の画像と前記第２の撮像の結果得られた第２の画像とを合成し、
ここで前記第１の画像と前記第２の画像は、前記第２のイメージセンサのサイズに基づくサイズに切り出されている
ことを特徴とする撮像装置の制御方法。
【請求項５】
第１のイメージセンサを有するレンズ交換可能な撮像装置を、請求項１又は２に記載の各手段として機能させる、コンピュータが実行可能なプログラム。
【手続補正２】
【補正対象書類名】明細書
【補正対象項目名】０００８
【補正方法】変更
【補正の内容】
【０００８】
この課題を解決するため、例えば本発明の撮像装置は以下の構成を備える。すなわち、
第１のイメージセンサを有するレンズ交換可能な撮像装置であって、
前記第１のイメージセンサによる複数回の撮像を行い、得られた複数の画像を合成し合成画像を生成する合成処理を制御する制御手段と、
レンズの着脱を検出する検出手段とを有し、
前記合成処理において、第１のイメージセンサよりもサイズの小さな第２のイメージセンサ用のレンズである第２のレンズを装着して前記合成画像を生成するための第１の画像を得た後に、前記検出手段により前記第１のイメージセンサ用のレンズである第１のレンズへの交換が検出された場合、前記制御手段はレンズの交換前から行っていた前記合成処理を継続して第２の画像の取得を可能とし、
前記制御手段は、前記第１の画像と前記第２の画像とを、前記第２のイメージセンサのサイズに基づくサイズに切り出して取得し合成することを特徴とする。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
第１の操作部材に対する操作に応じて設定される所定のパラメータと、第２の操作部材に対する操作とに基づいて、複数の撮影装置が行う撮影により得られる複数の撮影画像に基づく仮想視点画像に対応する仮想視点の位置及び前記仮想視点からの視線方向の少なくともいずれかの視点パラメータを変更する変更手段と、
前記変更手段により変更される前記視点パラメータの変化の速度を定義するパラメータと、前記変更手段により変更される前記視点パラメータの変化の感度を定義するパラメータと、のうち少なくともいずれかを含む複数のパラメータの中から、前記第１の操作部材に対する操作に応じて設定される前記所定のパラメータを特定する特定手段と
を有する
ことを特徴とする情報処理装置。
【請求項２】
前記視点パラメータの変化の感度を定義するパラメータは、前記仮想視点の位置を表す視点パラメータの変化の感度を定義するパラメータと、前記仮想視点からの視線方向を表す視点パラメータの変化の感度を定義するパラメータとのうち少なくともいずれかを含むことを特徴とする請求項１に記載の情報処理装置。
【請求項３】
前記仮想視点の変化の感度を定義するパラメータは、前記第２の操作部材に対する操作に応じて変更される前記視点パラメータの変化の感度が、エキスポネーションカーブに基づいて定義されるパラメータと、エルミートカーブに基づいて定義されるパラメータとのうち少なくともいずれかを含むことを特徴とする請求項１又は２に記載の情報処理装置。
【請求項４】
前記仮想視点の変化の速度を定義するパラメータは、前記仮想視点の位置を表す視点パラメータの変化の速度を定義するパラメータと、前記仮想視点からの視線方向を表す視点パラメータの変化の速度を定義するパラメータとのうち少なくともいずれかを含むことを特徴とする請求項１乃至３のいずれか１項に記載の情報処理装置。
【請求項５】
前記仮想視点の変化の速度を定義するパラメータは、前記変更手段により変更される前記視点パラメータの変化の最大速度を定義するパラメータを含むことを特徴とする請求項１乃至４のいずれか１項に記載の情報処理装置。
【請求項６】
前記第２の操作部材に対する操作に応じて変更される対象を、前記仮想視点の位置を表す視点パラメータと前記仮想視点からの視線方向を表す視点パラメータとの間で切り替える切り替え手段を有することを特徴とする請求項１乃至５のいずれか１項に記載の情報処理装置。
【請求項７】
前記切り替え手段は、前記第２の操作部材に対する操作に応じて変更される対象を、前記仮想視点の位置を表す視点パラメータのX軸座標と、Y軸座標と、Z軸座標との間で切り替えることを特徴とする請求項６に記載の情報処理装置。
【請求項８】
前記切り替え手段は、前記第２の操作部材に対する操作に応じて変更される対象を、前記仮想視点からの視線方向を表す視点パラメータのパンと、チルトと、ロールとの間で切り替えることを特徴とする請求項６又は７に記載の情報処理装置。
【請求項９】
前記変更手段は、前記第１の操作部材に対する操作に応じて設定される所定のパラメータと、第２の操作部材に対する操作とに基づいて、前記仮想視点の視野の広さを表す視点パラメータを変更することを特徴とする請求項１乃至８のいずれか１項に記載の情報処理装置。
【請求項１０】
前記特定手段は、前記複数のパラメータと、前記第１の操作部材及び前記第２の操作部材とを含む複数の操作部材との対応付けを表す対応情報に基づいて、前記複数のパラメータの中から、前記第１の操作部材に対する操作に応じて設定される前記所定のパラメータを特定することを特徴とする請求項１乃至９のいずれか１項に記載の情報処理装置。
【請求項１１】
前記対応情報は、ユーザを識別する識別情報と、前記複数の撮影装置により撮影される撮影対象に関する情報とのうち少なくともいずれかに基づいて、前記所定のパラメータを特定するための情報であることを特徴とする請求項１０に記載の情報処理装置。
【請求項１２】
前記撮影対象に関する情報は、イベントの種類と、シーンの種類とのうち、少なくともいずれかを識別するための情報を含むことを特徴とする請求項１１に記載の情報処理装置。
【請求項１３】
前記対応情報は、前記特定手段により前記第１の操作部材に対する操作に応じて設定される前記所定のパラメータが特定されることにより生成されることを特徴とする請求項１０乃至１２のいずれか１項に記載の情報処理装置。
【請求項１４】
前記変更手段により変更される前記仮想視点の位置を表す視点パラメータ及び前記仮想視点からの視線方向を表す視点パラメータに基づいて、仮想視点画像を生成する生成手段を有することを特徴とする請求項１乃至１３のいずれか１項に記載の情報処理装置。
【請求項１５】
前記第１の操作部材はつまみであることを特徴とする請求項１乃至１４のいずれか１項に記載の情報処理装置。
【請求項１６】
前記第２の操作部材はジョイスティックであることを特徴とする請求項１乃至１５のいずれか１項に記載の情報処理装置。
【請求項１７】
第１の操作部材に対する操作に応じて設定される所定のパラメータと、第２の操作部材に対する操作とに基づいて、複数の撮影装置が行う撮影により得られる複数の撮影画像に基づく仮想視点画像に対応する仮想視点の位置及び前記仮想視点からの視線方向の少なくともいずれかの視点パラメータを変更する変更工程と、
前記変更工程において変更される前記視点パラメータの変化の速度を定義するパラメータと、前記変更工程において変更される前記視点パラメータの変化の感度を定義するパラメータと、のうち少なくともいずれかを含む複数のパラメータの中から、前記第１の操作部材に対する操作に応じて設定される前記所定のパラメータを特定する特定工程と
を有する
ことを特徴とする情報処理方法。
【請求項１８】
コンピュータを、請求項１乃至１６のいずれか１項に記載の情報処理装置として機能させるためのプログラム。
【手続補正２】
【補正対象書類名】明細書
【補正対象項目名】０００５
【補正方法】変更
【補正の内容】
【０００５】
本発明の情報処理装置は、第１の操作部材に対する操作に応じて設定される所定のパラメータと、第２の操作部材に対する操作とに基づいて、複数の撮影装置が行う撮影により得られる複数の撮影画像に基づく仮想視点画像に対応する仮想視点の位置及び前記仮想視点からの視線方向の少なくともいずれかの視点パラメータを変更する変更手段と、前記変更手段により変更される前記視点パラメータの変化の速度を定義するパラメータと、前記変更手段により変更される前記視点パラメータの変化の感度を定義するパラメータと、のうち少なくともいずれかを含む複数のパラメータの中から、前記第１の操作部材に対する操作に応じて設定される前記所定のパラメータを特定する特定手段とを有することを特徴とする。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
印刷媒体に対して手動で移動させて印刷を行う印刷装置であって、
前記印刷を行う印刷機構と、
前記印刷機構を収納しユーザの手により把持可能な筐体と、
前記筐体を把持している前記ユーザの第１の手の第１の指の接触を検出するための第１指検出装置と、
前記印刷の開始を指示する第１印刷開始ボタンと、
前記筐体の第１側面に設けられ、前記第１の手の前記第１の指を収容できる第１凹部と、を備え、
前記第１指検出装置を構成するセンサ部は前記第１凹部内に設けられていて、
前記第１印刷開始ボタンは、前記第１側面における前記第１凹部とは異なる箇所に設けられていることを特徴とする印刷装置。
【請求項２】
制御装置を有し、
前記制御装置は、前記第１印刷開始ボタンの操作を検出した後に、前記第１指検出装置が前記第１の手の前記第１の指の接触を検出すると、前記印刷機構を、前記印刷機構による印刷を許可する第１印刷許可状態に設定することを特徴とする請求項１に記載の印刷装置。
【請求項３】
前記筐体における前記第１側面と対向する第２側面に設けられて前記筐体を把持している前記ユーザの第２の手の前記第１の指の接触を検出するための第２指検出装置と、
前記印刷の開始を指示する第２印刷開始ボタンと、
前記第２側面に設けられ、前記第２の手の前記第１の指を収容できる第２凹部と、を備え、
前記第２指検出装置を構成するセンサ部は前記第２凹部内に設けられていて、
前記第２印刷開始ボタンは、前記第２側面における前記第２凹部とは異なる箇所に設けられていることを特徴とする請求項２に記載の印刷装置。
【請求項４】
前記制御装置は、前記第２印刷開始ボタンの操作を検出した後に、前記第２指検出装置が前記第２の手の前記第１の指の接触を検出すると、前記印刷機構を、前記印刷機構による印刷を許可する第２印刷許可状態に設定することを特徴とする請求項３に記載の印刷装置。
【請求項５】
前記制御装置は、
前記第１印刷開始ボタンの操作を検出した後に、前記第１指検出装置が前記第１の手の前記第１の指の接触を検出すると、前記印刷機構を、前記印刷機構による印刷を許可する第１印刷許可状態に設定するとともに、前記第２印刷開始ボタンの機能を無効に設定し、
前記第２印刷開始ボタンの操作を検出した後に、前記第２指検出装置が前記第２の手の前記第１の指の接触を検出すると、前記印刷機構を、前記印刷機構による印刷を許可する第２印刷許可状態に設定するとともに、前記第１印刷開始ボタンの機能を無効に設定することを特徴とする請求項３又は請求項４に記載の印刷装置。
【請求項６】
前記筐体の先端面に設けられて前記第１の手の第２の指を収容できる第３凹部と、
前記第３凹部内に設けられて、前記第１の手又は前記第２の手の前記第２の指の接触を検出する第３指検出装置と、
を備え、
前記制御装置は、前記第１印刷開始ボタンの操作を検出した後に、前記第１指検出装置及び前記第３指検出装置が前記第１の手の前記第１の指及び前記第２の指の接触を検出したとき、前記印刷機構を、前記印刷機構による印刷を許可する第１印刷許可状態に設定することを特徴とする請求項３から請求項５のいずれか１項に記載の印刷装置。
【請求項７】
前記制御装置は、前記第２印刷開始ボタンの操作を検出した後に、前記第２指検出装置及び前記第３指検出装置が前記第２の手の前記第１の指及び前記第２の指の接触を検出したとき、前記印刷機構を、前記印刷機構による印刷を許可する第２印刷許可状態に設定することを特徴とする請求項６に記載の印刷装置。
【請求項８】
前記制御装置は、
前記第１印刷開始ボタンの操作を検出した後に、前記第１指検出装置及び第３指検出装置が前記第１の手の前記第１の指及び前記第２の指の接触を検出すると、前記印刷機構を、前記印刷機構による印刷を許可する第１印刷許可状態にするとともに、前記第２印刷開始ボタンの機能を無効に設定し、
前記第２印刷開始ボタンの操作を検出した後に、前記第２指検出装置及び前記第３指検出装置が前記第２の手の前記第１の指及び前記第２の指の接触を検出すると、前記印刷機構を、前記印刷機構による印刷を許可する第２印刷許可状態にするとともに、前記第１印刷開始ボタンの機能を無効に設定することを特徴とする請求項６又は請求項７に記載の印刷装置。
【請求項９】
前記第１側面に設けられた第１電源ボタンと、
前記第２側面に設けられた第２電源ボタンと、を備え、
前記制御装置は、前記印刷機構を前記第１印刷許可状態又は前記第２印刷許可状態に設定している場合に、前記第１電源ボタン及び前記第２電源ボタンの機能を無効に設定することを特徴とする請求項５又は請求項８に記載の印刷装置。
【手続補正２】
【補正対象書類名】明細書
【補正対象項目名】０００８
【補正方法】変更
【補正の内容】
【０００８】
上記目的を達成するために、本発明は、以下の構成により把握される。
本発明の印刷装置は、印刷媒体に対して手動で移動させて印刷を行う印刷装置であって、前記印刷を行う印刷機構と、前記印刷機構を収納しユーザの手により把持可能な筐体と、前記筐体を把持している前記ユーザの第１の手の第１の指の接触を検出するための第１指検出装置と、前記印刷の開始を指示する第１印刷開始ボタンと、前記筐体の第１側面に設けられ、前記第１の手の前記第１の指を収容できる第１凹部と、を備え、前記第１指検出装置を構成するセンサ部は前記第１凹部内に設けられていて、前記第１印刷開始ボタンは、前記第１側面における前記第１凹部とは異なる箇所に設けられていることを特徴とする。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
印刷データを受信する受信手段と、
前記受信手段で受信した印刷データが所定の条件を満たすかを判定する判定手段と、
前記判定手段で所定の条件を満たすと判定された印刷データを記憶する記憶手段と、
前記記憶手段に記憶された印刷データを出力する出力手段と、
を備え、
前記出力手段は、前記判定手段により前記所定の条件を満たさないと判定された印刷データを前記受信手段により再度受信した場合、当該印刷データを前記記憶手段に記憶することなく出力することを特徴とする出力制御装置。
【請求項２】
前記記憶手段は、さらに、
前記判定手段で前記印刷データが所定の条件を満たすと判定された場合は、当該印刷データの書誌情報を、前記記憶手段に記憶された印刷データの書誌情報として記憶し、
前記判定手段で前記印刷データが所定の条件を満たさないと判定された場合は、当該印刷データを記憶せず、当該印刷データの書誌情報を、前記所定の条件を満たさない印刷データの書誌情報として記憶することを特徴とする請求項１に記載の出力制御装置。
【請求項３】
前記出力手段は、さらに、
前記受信手段で受信した印刷データの書誌情報が、前記所定の条件を満たさない印刷データの書誌情報として前記記憶手段に記憶されていることに基づいて、当該所定の条件を満たさない印刷データを前記記憶手段に記憶せず、出力することを特徴とする請求項２に記載の出力制御装置。
【請求項４】
前記所定の条件を満たさない印刷データの書誌情報として記憶された書誌情報を取得した場合、当該書誌情報に対応する印刷データを前記記憶手段に記憶することなく出力するか否かの選択を受け付ける選択受付手段と、
前記選択受付手段によって、前記記憶手段に記憶することなく出力する旨の選択を受け付けた場合、当該書誌情報に対応する印刷データを前記記憶手段に記憶することなく出力するよう設定する設定手段と、
を備えることを特徴とする請求項２又は３に記載の出力制御装置。
【請求項５】
前記受信手段で受信した印刷データが、前記設定手段により前記記憶手段に記憶することなく出力するよう設定された印刷データと一致するか否かを判定する第２の判定手段を更に備え、
前記出力手段は、前記第２の判定手段により、前記受信した印刷データが前記記憶手段に記憶することなく出力するよう設定された印刷データと一致すると判定された場合、当該印刷データを記憶することなく出力することを特徴とする請求項４に記載の出力制御装置。
【請求項６】
前記所定の条件は、印刷データのデータサイズに基づく条件であることを特徴とする請求項１乃至５のいずれか１項に記載の出力制御装置。
【請求項７】
印刷データを受信する受信ステップと、
前記受信ステップで受信した印刷データが所定の条件を満たすかを判定する判定ステップと、
前記判定ステップで所定の条件を満たすと判定された印刷データを記憶する記憶ステップと、
前記記憶ステップに記憶された印刷データを出力する出力ステップと、
を備え、
前記出力ステップは、前記判定ステップにより前記所定の条件を満たさないと判定された印刷データを前記受信ステップにより再度受信した場合、当該印刷データを前記記憶ステップで記憶することなく出力することを特徴とする出力制御装置の制御方法。
【請求項８】
出力制御装置を、
印刷データを受信する受信手段と、
前記受信手段で受信した印刷データが所定の条件を満たすかを判定する判定手段と、
前記判定手段で所定の条件を満たすと判定された印刷データを記憶する記憶手段と、
前記記憶手段に記憶された印刷データを出力する出力手段として機能させ、
前記出力手段を、前記判定手段により前記所定の条件を満たさないと判定された印刷データを前記受信手段により再度受信した場合、当該印刷データを前記記憶手段に記憶することなく出力する出力手段として機能させるためのプログラム。
【手続補正書】
【提出日】令和2年12月2日(2020.12.2)
【手続補正１】
【補正対象書類名】明細書
【補正対象項目名】０１４９
【補正方法】変更
【補正の内容】
【０１４９】
第１の出力８１０ａの変化を検出するために、曲線９１６を微分する(ステップＳ３２)。微分した結果を平均してノイズを低減する(ステップＳ３４)。得られた結果から終点検出部２８は、研磨の終了を検出する。次に、終点検出部２８は、研磨が終了したかどうかを判定する(ステップＳ３６)。研磨が終了していないときは、ステップＳ１０に戻る。
【手続補正２】
【補正対象書類名】明細書
【補正対象項目名】０１６１
【補正方法】変更
【補正の内容】
【０１６１】
ビューポート７２２が無い場合、ファイバセンサの周囲から純水を出して、ノズル７２８から供給されるスラリを除去して終点検知を行う場合もある。光学式センサは、スラリを洗浄するための純水（又は高純度ガス、液体とガスの混合物などの流体）を開口７２０内に供給する流体供給部（図示しない）を有する。
【手続補正３】
【補正対象書類名】明細書
【補正対象項目名】０２２０
【補正方法】変更
【補正の内容】
【０２２０】
第１８の形態は、処理ユニットには、開閉自在なシャッタを有する被研磨物挿入口が設けられ、遮光壁には、被研磨物挿入口の周囲を囲繞する遮光膜が設けられ、遮光壁の遮光膜で包囲された領域内に開口部が設けられていることを特徴とする形態１７記載の装置である。
【手続補正４】
【補正対象書類名】明細書
【補正対象項目名】０２２２
【補正方法】変更
【補正の内容】
【０２２２】
第１９の形態は、処理エリアは洗浄エリアで、被研磨物の処理は、被研磨物の洗浄であることを特徴とする形態１７または１８記載の被研磨物処理装置である。
【手続補正５】
【補正対象書類名】明細書
【補正対象項目名】０２２７
【補正方法】変更
【補正の内容】
【０２２７】
電流源として働くＰＮ接合を、電解質２３０に露出した相互接続３３０、３４０などの金属導体に接続すると、電気分解に必要な要素が全て揃い、電位が十分であればアノード金属成分の溶解が起こる。光電圧によって生じる図３４の電気化学的溶解は、電気化学的溶解に類似している。アノード３３０における酸化反応は、電解質２３０中に溶解した遊離カチオン２５０、および内部接続を介して電流源（ＰＮ接合３００）に流れカソード３４０上に達する電子を生成する。この酸化反応は、電気分解の最も目に付く標識、すなわちアノード３３０の溶解またはピッチングを引き起こすが、還元反応も起こらなければならない。カソードにおける還元反応は、電子を電解質２３０中の反応物２６０と結合させて、還元された反応生成物を生成する。ＰＮ接合のｐ側およびｎ側のどちらに接続するかに応じて、金属導体のあるものはカソードになり、あるものはアノードになることに注目されたい。